(57)【要約】【課題】  コンパクトで体裁が良くかつキャビネットの組立等に使用し得る取扱いが容易なジョイント金具を目的とする。【解決手段】  相互に結合し得る第１金具１と第２金具７とより構成されている。第１金具１の上面にはアリ溝３が設けられており、かつその側面及び下面にはダボ嵌入穴５、ネジ挿通孔６が設けられている。第２金具７の下面には前記アリ溝３に嵌入し得るアリ継手９が設けられており、かつ上面にはダボ８が起立突設されている。【選択図】      図１
2006214563.tif 000002
【特許請求の範囲】
【請求項１】
上面にアリ溝を有しかつ両側面或は下面にダボ嵌入穴を有する矩形状の第１金具と、下面に前記アリ溝に嵌入係止し得るアリ継手を有しかつ上面にダボを突設してなる矩形状の第２金具との組合せよりなるジョイント金具。
【請求項２】
前記アリ溝とこのアリ溝に嵌入係止し得るアリ継手とに夫々所定のテーパーを設けて構成したことを特徴とした請求項１のジョイント金具。
【請求項３】
前記第１金具と第２金具の所定位置にネジ挿通孔を穿設し、かつ前記第１金具に設けたダボ嵌入穴と第２金具に設けたダボとを夫々複数にしたことを特徴とした請求項１或は請求項２のジョイント金具。
【請求項４】
複数のパネルを組合せることによってキャビネットを構成する方法に於て、上面にアリ溝を有しかつ両側面或は下面にダボ嵌入穴を有する矩形状の第１金具を、該ダボ嵌入穴に別に用意したダボを挿入することによって一方のキャビネット構成部材の所定位置に取付け、かつ下面に前記アリ溝に嵌入係止し得るアリ継手を有しかつ上面にダボを突設してなる第２金具を、該ダボを介して他方のキャビネット構成部材の所定位置に取付け、さらに前記アリ継手を前記アリ溝に嵌入係止することによって第１金具と第２金具を連結して複数のキャビネット構成部材を組立ててキャビネットを構成することを特徴としたキャビネットの組立構成方法。
【発明の詳細な説明】
【技術分野】
【０００１】
本発明はジョイント金具及び該ジョイント金具を用いてキャビネットを組立構成する方法に係り、特にアリ溝とダボ嵌入穴を有する第１金具とアリ継手とダボとを有する第２金具とを用いてなるジョイント金具とキャビネットの組立構成方法に関するものである。
【背景技術】
【０００２】
本発明に係るジョイント金具及びこのジョイント金具を用いたキャビネットの組立方法に関しては、従来から極めて多くの技術が開発され、かつ実用化されている。
【０００３】
例えば、先端部に表面がギザギザでわずかな弾性を有する接触係止部を有する一対の金具よりなるクリップ式コネクターを夫々別紙のキャビネット構成パネルの所定位置にネジ止めし、両方のパネルを組立てる際に、該クリップ式コネクターの両方の金具の接触係止部を噛合させることによって両方のパネルを連結して組立てる方法等が知られている。
【０００４】
また、最近になって特開２００４−２５４９１３号公報（特許文献１）に示すようなジョイント金具及びこのジョイント金具を用いたキャビネットフレームの連結方法の技術も公知である。
【０００５】
【特許文献１】特開２００４−２５４９１３号公報
【発明の開示】
【発明が解決しようとする課題】
【０００６】
前述のクリップ式コネクターは、両方の金具の先端部に表面がギザギザでわずかな弾性を有する接触係止部を相互に噛合せることによって両方の金具を連結するので、両者の結合が完全でなく、組立てたキャビネットに振動や外力がかかった場合には、両者の結合が外れ、かつキャビネットを構成するパネルが離間する等の問題があった。
【０００７】
また、前記特許文献１に記載されたジョイント金具は、ジョイント金具を一方のフレーム部材に溶接固定し、かつこのジョイント金具を他方のフレームの端部に挿入し、これ等に設けられたネジ穴にネジを螺合することによって両者を連結する技術であるので、フレームを使用しない、複数のパネル等の構成部材を用いて組立構成するキャビネットには有効に利用することが出来ない等の問題があった。
【０００８】
本発明に係るジョイント金具及びそのジョイント金具を用いてなるキャビネットの組立構成方法は、アリ溝を有する第１金具とアリ継手を有する第２金具とを組合せることによって両者の結合を強固にし、かつキャビネット構成部材にダボを介して簡単に取付けることが出来、さらにこれ等の一対の金具によってキャビネット構成部材を組立ててキャビネットを容易に組立構成するようにした全く新しい技術を提供するものである。
【課題を解決するための手段】
【０００９】
本発明に係るジョイント金具は、前述の従来の問題点を根本的に改善した発明であって、その第１発明の要旨は、上面にアリ溝を有しかつ両側面或は下面にダボ嵌入穴を有する矩形状の第１金具と、下面に前記アリ溝に嵌入係止し得るアリ継手を有しかつ上面にダボを突設してなる矩形状の第２金具との組合せよりなるジョイント金具である。
【００１０】
本発明に係るジョイント金具の第２発明の要旨は、前記アリ溝とこのアリ溝に嵌入係止し得るアリ継手とに夫々所定のテーパーを設けて構成したことを特徴とした第１発明のジョイント金具である。
【００１１】
本発明に係るジョイント金具の第３発明の要旨は、前記第１金具と第２金具の所定位置にネジ挿通孔を穿設し、かつ前記第１金具に設けたダボ嵌入穴と第２金具に設けたダボとを夫々複数にしたことを特徴とした第１発明或は第２発明のジョイント金具である。
【００１２】
本発明に係るキャビネットの組立構成方法の要旨は、複数のパネルを組合せることによってキャビネットを構成する方法に於て、上面にアリ溝を有しかつ両側面或は下面にダボ嵌入穴を有する矩形状の第１金具を、該ダボ嵌入穴に別に用意したダボを挿入することによって一方のキャビネット構成部材の所定位置に取付け、かつ下面に前記アリ溝に嵌入係止し得るアリ継手を有しかつ上面にダボを突設してなる第２金具を、該ダボを介して他方のキャビネット構成部材の所定位置に取付け、さらに前記アリ継手を前記アリ溝に嵌入係止することによって第１金具と第２金具を連結して複数のキャビネット構成部材を組立ててキャビネットを構成することを特徴としたキャビネットの組立構成方法である。
【発明の効果】
【００１３】
前記ジョイント金具の第１発明に於ては、第１金具の上面にアリ溝を設け、かつ第２金具の下面に該アリ溝内に嵌入係止し得るアリ継手を設けたので、これ等のアリ溝とアリ継手とを係合することによって、第１金具と第２金具とを相互に強固に連結することが出来る。
【００１４】
また、第１発明のジョイント金具に於ては、第１金具の両側面或は下面にダボ嵌入穴を設けたので、このダボ嵌入穴に別に用意したダボを嵌入することによって、第１金具をキャビネット等の構成部材に安定した状態で取付け固定することが出来る。
【００１５】
また、第１発明のジョイント金具に於ては、第２金具の上面にダボを突設したので、このダボをキャビネット等の構成部材に設けたダボ嵌入穴に嵌入することによって、第２金具を該構成部材に簡単かつ確実に取付けることが出来る。
【００１６】
前記ジョイント金具の第２発明に於ては、前記第１発明のアリ溝とこのアリ溝に嵌入し得る第２金具のアリ継手とに夫々テーパーを設けて形成したので、アリ溝内に一旦嵌入されたアリ継手が不用意にスライドしてアリ溝より抜け落ちることを防止出来る。かつ前記アリ溝とアリ継手とには夫々テーパーが設けられているので、アリ溝内に嵌入されるアリ継手の方向を一定方向に規制すると共に、両者の結合位置を規定することが出来る。
【００１７】
前記ジョイント金具の第３発明に於ては、第１金具と第２金具の所定位置にネジ挿通孔を穿設したので、このネジ挿通孔にネジを挿通してキャビネット構成部材等に螺合することによって、これ等の第１金具と第２金具とをキャビネット構成部材等により強固に取付固定することが出来る。
【００１８】
また、前記第１金具或は第２金具に設けたダボ嵌入穴或はダボを夫々複数にしたので、これ等の複数のダボ挿通孔或はダボを用いることによって、キャビネット構成部材等に取付けられた第１金具或は第２金具をより確実かつ強固に固定すると同時に、これ等の金具が回動することを防止出来る。
【００１９】
前記本発明に係るキャビネットの組立構成方法は、前述の構造を有する第１金具を一方のキャビネット構成部材の所定位置に別に用意したダボを介して取付け、かつ前述の構造を有する第２金具を他方のキャビネット構成部材の所定位置にダボを介して取付けたので、第２金具のアリ継手を第１金具のアリ溝に嵌入係止して、第１金具と第２金具とを相互に連結することによって、一方のキャビネット構成部材と他方のキャビネット構成部材とを安定した状態で簡単かつ確実に組立構成することが出来る。
【００２０】
本発明に係るキャビネットの組立構成方法によって組立構成したキャビネットは、キャビネットを構成する複数の構成部材が夫々前記第１金具と第２金具とよりなるジョイント金具によって組立構成されているので、各構成部材はジョイント金具の連結を解放することによって、簡単に解体することが出来る。
【００２１】
従って、キャビネットは解体した状態で梱包し、在庫として保管し、かつ搬送することが出来、梱包量、保管費、搬送費を著しく削減することが出来る。また、キャビネットを構成する構成部材は、ジョイント金具を連結することによって簡単に組立てることが出来るので、女性、子供等でもキャビネットを設置する場所で容易に操作して確実に組立てることが出来る。
【００２２】
さらに、ジョイント金具はキャビネットを構成する構成部材の所定の位置に取付けたので、ジョイント金具を連結することによって、パネルの連結部分に隙間が生ずることを防止し、これによって組立キャビネットの品質精度を高めることが出来る。かつジョイント金具は、キャビネットの表面に露出しないようにすることが出来るので、キャビネットの美観を損なう心配もない。
【発明を実施するための最良の形態】
【００２３】
図により本発明に係るジョイント金具の一実施例を具体的に説明する。図１は本発明に係るジョイント金具の表側の斜視図、図２は図１のジョイント金具の裏側の斜視図、図３は第１金具の説明図、図４は第２金具の説明図、図５は第１金具と第２金具とを組立てた状態の説明図である。
【００２４】
図１乃至図５に於て、１はジョイント金具を構成する第１金具であって、全体がほぼ矩形状に形成されており、ポリスチレン樹脂等のプラスチック材或は金属材で構成されている。第１金具の上面には比較的深い凹溝２が設けられ、かつこの凹溝２の内壁上部にはアリ溝３が設けられている。該凹溝２の奥部に対応する第１金具１の一端部にはストッパー４が起立されている。
【００２５】
前記アリ溝３には、特に図３によって明らかな如く、入口部が巾広く、奥部に行くに従って狭くなるようなテーパーが設けられている。第１金具１の両側面には２個のダボ嵌入穴５が所定の間隔を保って設けられている。これ等のダボ嵌入穴５の間にはネジ挿通孔６が設けられている。第１金具の下面にも、同様にダボ嵌入穴５とネジ挿通孔６が夫々設けられている。
【００２６】
７は第２金具であって、その上面には２個のダボ８が所定の間隔を保って起立突設され、かつその下面には、前記第１金具１のアリ溝３内に嵌入し得るアリ継手９が設けられている。このアリ継手９にもアリ溝３に対応するテーパーが設けられている。第２金具７の２個のダボ８の間には上下面に貫通したネジ挿通孔６が設けられている。
【００２７】
次に、前述の如き第１金具と第２金具７とより構成されるジョイント金具の連結或は解放について図１、図２及び図５に於て説明すると次の通りである。即ち、ジョイント金具の連結に当っては、図に示す如く、第２金具７のアリ継手９の端部を第１金具１のアリ溝３の端部に当接し、該アリ継手９をアリ溝３の中に徐々に嵌入することによって第１金具１と第２金具７との両者を連結することが出来る。
【００２８】
アリ継手９とアリ溝３とには、前述のように夫々テーパーが設けられているので、アリ継手９をアリ溝３に嵌入する際には、これ等の点を考慮して、必ずアリ継手９の所定の端部からアリ溝３に挿入する必要がある。また、アリ継手９をアリ溝３に嵌入した場合には、両者に設けられたテーパーの関係で、第１金具１と第２金具７とが完全に連結された時に、アリ継手９のアリ溝３への進入が停止されるようになっている。従って、第１金具１と第２金具７との結合位置は予め規定されている。ジョイント金具の連結を解放するに当っては、アリ溝３からアリ継手９を抜き取るようにすることによって、両者を離して解放することが出来る。
【００２９】
次に、本発明に係るキャビネットの組立構成方法について図により説明する。図６はキャビネットの底板に側板及び仕切板を取付ける状態の斜視図、図７は裏板を取付ける状態の斜視図、図８は側板及び仕切板の所定位置にジョイント金具の第２金具を取付ける状態の斜視図である。
【００３０】
図９は背枠板の所定位置にジョイント金具の第１金具を取付ける状態の斜視図、図１０は第１金具と第２金具を連結することによって背枠板を側板等の上部に取付けかつ棚板の所定位置に第１金具を取付ける状態の斜視図、図１１は棚板を側板と仕切板間に取付けかつ前枠板に第１金具を取付ける状態の斜視図、図１２は前枠板と仕切板とを夫々所定位置に取付ける状態の斜視図、図１３は前枠板を所定位置に取付ける状態の斜視図である。
【００３１】
図６乃至図１３に於て、本発明に係るキャビネットの組立構成方法について説明する。即ち、図６に示す如く、キャビネットの底板１０の所定位置にはダボ１１を起立突設する。側板１２及び仕切板１３の下面には、該ダボ１１が挿入し得る穴１４を設け、この穴１４内にダボ１１を挿入することによって、側板１２及び仕切板１３を底板１０上に起立する。
【００３２】
図７に示す如く、側板１２及び仕切板１３の後部側面に予め設けられた縦溝１５に、所定の高さを有する裏板１６を落し込んで、裏板１６を側板１２及び仕切板１３に取付ける。図８に於て、側板１２及び仕切板１３の夫々の所定位置に設けられた穴１７に、ジョイント金具の第２金具７のダボ８を嵌入すると共にネジ１８を用いて第２金具７を取付ける。この第２金具７のアリ継手９にはテーパーが設けられているので、その方向性等を充分に考慮して取付ける必要がある。
【００３３】
図９に於て、１９は側板１２及び仕切板１３の裏側上部に取付けられる背枠板であって、その所定位置にはダボ１１或はネジ１８を用いてジョイント金具の第１金具１が取付けられている。この背枠板１９を側板１２及び仕切板１３に取付けるに当っては、図１０に示す如く、背枠板１９に取付けられた第１金具１と側板１２及び仕切板１３に取付けられた第２金具７とを相互に合致させて連結することによって容易に行うことが出来る。
【００３４】
キャビネットを構成する側板１２及び仕切板１３との間に棚板２０を取付けるに当っては、図１０及び図１１に示す如く、棚板２０の下面にダボ１１或はネジ１８を介して第１金具１を取付け、該第１金具１を予め側板１２と仕切板１３の所定位置に取付けられていた第２金具７と結合させることによって、棚板２０をキャビネットの所定位置に簡単に取付ることが出来る。
【００３５】
前枠板２１、仕切枠２２及び上枠２３を夫々キャビネットの所定位置に取付固定するに当っても、図１１乃至図１３に示す如く、これ等の前枠板２１、仕切枠２２及び上枠２３の所定位置にダボ１１或はネジ１８を介して第１金具１を取付けた後で、予めキャビネットの側板１２、仕切板１３、背枠板１９、仕切枠２２等の所定位置に予め取付けられている第２金具７に前記第１金具１を結合させることによって、これ等の前枠板２１等をキャビネットの所定位置に簡単に取付けることが出来る。
【００３６】
前述の如く、組立構成されたキャビネットの枠組の中には、必要に応じて種々の引出し等を収納してキャビネットとして使用することが出来る。
【００３７】
また、キャビネットを搬送したり保管する場合には、これ等の所定部分に設けられた第１金具１と第２金具７との結合を解除し、或は底板１０等に突設されたダボ１１から側板１２或は仕切板１３等を抜き取ることによって、キャビネットの枠組を構成する部材を個々に解放することが出来る。
【００３８】
従って、梱包体積及び在庫スペースを３分の１にすることが出来、搬送時の運賃、倉庫料等を３分の１にすることが出来る。これによって、物流コストの削減化、ユーザー宅への搬入の軽便化を可能とすることが出来る。
【００３９】
本発明に係るキャビネットの組立構成方法は前述の構成を有するので、ユーザー宅に搬送されて来た構成部品を、家庭の主婦等の女性でも、組立図を参照しながら極めて簡単確実にかつ体裁良くスムーズに組み立てることが出来る。特に連結部分に隙間が無く、かつ品質精度の良く、しかも美観を損なわないキャビネットを組立構成することが出来る。
【産業上の利用可能性】
【００４０】
本発明に係るジョイント金具は、前述の形状を有する第１金具と第２金具とで構成されるので、コンパクトで使い勝手が良く、キャビネットのみならず家具、建具等の分野にも巾広く使用することが出来る。
【図面の簡単な説明】
【００４１】
【図１】本発明に係るジョイント金具の表側の斜視図である。
【図２】図１のジョイント金具の裏側の斜視図である。
【図３】第１金具の説明図である。
【図４】第２金具の説明図である。
【図５】第１金具と第２金具とを組立てた状態の説明図である。
【図６】キャビネットの底板に側板及び仕切板を取付ける状態の斜視図である。
【図７】裏板を取付ける状態の斜視図である。
【図８】側板及び仕切板の所定位置にジョイント金具の第２金具を取付ける状態の斜視図である。
【図９】背枠板の所定位置にジョイント金具の第１金具を取付ける状態の斜視図である。
【図１０】第１金具と第２金具を連結することによって背枠板を側板等の上部に取付けかつ棚板の所定位置に第１金具を取付ける状態の斜視図である。
【図１１】棚板を側板と仕切板間に取付けかつ前枠板に第１金具を取付ける状態の斜視図である。
【図１２】前枠板と仕切板とを夫々所定位置に取付ける状態の斜視図である。
【図１３】前枠板を所定位置に取付ける状態の斜視図である。
【符号の説明】
【００４２】
１        ・・・第１金具
２        ・・・凹溝
３        ・・・アリ溝
４        ・・・ストッパー
５        ・・・ダボ嵌入穴
６        ・・・ネジ挿通孔
７        ・・・第２金具
８        ・・・ダボ
９        ・・・アリ継手
１０      ・・・底板
１１      ・・・ダボ
１２      ・・・側板
１３      ・・・仕切板
１４      ・・・穴
１５      ・・・縦溝
１６      ・・・裏板
１７      ・・・穴
１８      ・・・ネジ
１９      ・・・背枠板
２０      ・・・棚板
２１      ・・・前枠板
２２      ・・・仕切枠
２３      ・・・上枠 
【図１】
2006214563.tif 000003
【図２】
2006214563.tif 000004
【図３】
2006214563.tif 000005
【図４】
2006214563.tif 000006
【図５】
2006214563.tif 000007
【図６】
2006214563.tif 000008
【図７】
2006214563.tif 000009
【図８】
2006214563.tif 000010
【図９】
2006214563.tif 000011
【図１０】
2006214563.tif 000012
【図１１】
2006214563.tif 000013
【図１２】
2006214563.tif 000014
【図１３】
2006214563.tif 000015